(57)【特許請求の範囲】
【請求項１】
靴の開口部の縁に沿って取り付けられる靴紐掛け具であって、
靴紐を案内し且つ離脱させない滑車の溝の円板状両側面部のうち一側面部の直径が他側面部の直径より大きい非対称構造の滑車を挿入可能な形状の掛け支持部に前記滑車を装着した後、前記滑車の軸穴に回転ピンを挿入して、前記滑車が前記掛け支持部に回転可能に取り付けられて構成されることを特徴とする靴紐掛け具。
【請求項２】
前記靴紐掛け具の前記滑車の一側面には、前記靴紐が必要な分だけ引っ張られて締まると、前記靴紐の締まりが緩まず、且つレバーを操作すると前記靴紐の締まりが緩むようにするラチェットが取り付けられていることを特徴とする請求項１に記載の靴紐掛け具。
【請求項３】
靴紐を締める際に靴紐が掛けられる靴紐掛け装置であって、
靴紐を案内し且つ離脱させない滑車の溝の円板状両側面部のうち一側面部の直径が他側面部の直径より大きい非対称構造の滑車を挿入可能な形状の掛け支持部に前記滑車を装着した後、前記滑車の軸穴に回転ピンを挿入して、前記滑車が前記掛け支持部に回転可能に取り付けられて構成され、リベットで靴の甲被開口部の縁に沿って取り付けられる複数の第１の靴紐掛け具と、
靴紐を案内し且つ離脱させない滑車の溝の円板状両側面部のうち一側面部の直径が他側面部の直径より大きい非対称構造の二つの滑車を対称に配設し、前記二つの滑車に靴紐を掛ける第２の靴紐掛け具と、を有することを特徴とする靴紐掛け装置。
【請求項４】
第２の靴紐掛け具は、前記二つの滑車を挿入可能な形状の掛け支持部に前記二つの滑車を装着した後、前記各滑車の軸穴に回転ピンを挿入して、前記二つの滑車が前記掛け支持部に回転可能に取り付けられて構成されることを特徴とする請求項３に記載の靴紐掛け装置。
【請求項５】
前記第２の靴紐掛け具を一つのみ有する場合には、最上側から２番目の靴紐掛け具の位置に設置され、
前記第２の靴紐掛け具を二つ以上有する場合には、最上側から２番目の靴紐掛け具と、最上側から４番目又はその下の靴紐掛け具の位置に設置され、前記二つの第２の靴紐掛け具が互いに連続しないように設置されることを特徴とする請求項３又は４に記載の靴紐掛け装置。
【請求項６】
第２の靴紐掛け具は、前記最上側から２番目の靴紐掛け具の位置に設置される前記第２の靴紐掛け具の前記二つの滑車の各々の一側面には、前記靴紐が必要な分だけ引っ張られて締まると、前記靴紐の締まり具合が緩まず、且つレバーを操作すると前記靴紐の締まりが緩むようにするラチェットが取り付けられていることを特徴とする請求項５に記載の靴紐掛け装置。
【発明の詳細な説明】
【技術分野】
【０００１】
本発明は、非対称構造の滑車を用いた靴紐掛け具に関し、特に、靴紐掛け具に非対称構造の滑車を用い、前記滑車にラチェットを取り付けることにより、靴紐の掛け回し、締め、結び及び解きを容易にする靴紐掛け具に関する。
【背景技術】
【０００２】
従来、靴は、皮革の開口部に孔を設け、その孔にリングを取り付けて靴紐を挿通し、又はリベットで靴紐掛け具を取り付けて靴紐を挿通して掛けるようにしていた。このため、孔又は靴紐掛け具と靴紐とが摩擦することにより、靴紐の挿通が不便であり、靴紐の締め又は締めの解除も難しく、それにより靴紐の挿通、締め及び締め解除に時間がかかるなどの不具合が多い。特に、皮革上の一番下側の孔は皮革に密着しており、靴紐の挿脱も容易でない。
【０００３】
また、従来の靴は、靴紐を締める際に、一番下側の孔又は靴紐掛け具から靴紐を通して順番に締め上げていかなければならないので、多くの時間がかかるうえ、足に応じて良好なフィット感が得られるように締めることも容易でなく、靴を脱ぐときにも一番上側の孔又は靴紐掛け具から順番に靴紐を解かなければ脱ぐことができず、特に登山靴・作業靴などの長い靴ほど不便である。
【０００４】
上述した問題点を解決するために、従来でも滑車を用いた靴紐掛け具が考案されているが、これは、靴紐を靴紐掛け具に挿通する不便が残っており、靴紐を締めてから靴紐を結ぶときに靴紐の締めが緩んでくるという問題がある。さらに、かかる問題点を解決するために、別に靴紐の締め付け部材を取り付けることがある。しかし、この場合にも、靴紐を締め付け部材によって締める又は解除する不便さがあり、その過程で靴紐の磨耗が生じ、靴の美観面でも良くないという問題がある。
【発明の概要】
【発明が解決しようとする課題】
【０００５】
本発明の課題は、靴紐掛け具に非対称構造の滑車を用いて、靴紐を通すことなく靴紐を掛けるだけでよく、続いて靴紐を締めるためには靴紐を上方に引っ張るだけでよく、靴紐の締めた後には靴紐の締まりが緩まないため、靴紐を容易に結ぶことができ、靴紐を靴紐掛け具から容易に取り外すことができる、非対称構造の滑車を用いた靴紐掛け具を提供することである。
【課題を解決するための手段】
【０００６】
本発明に係る靴紐掛け具は、靴の開口部の縁に沿って取り付けられる靴紐掛け具であって、靴紐を案内し且つ離脱させない滑車の溝の円板状両側面部のうち一側面部の直径が他側面部の直径より大きい非対称構造の滑車を挿入可能な形状の掛け支持部に前記滑車を装着した後、前記滑車の軸穴に回転ピンを挿入して、前記滑車が前記掛け支持部に回転可能に取り付けられて構成されることを特徴とする。
【０００７】
また、本発明に係る靴紐掛け具は、記靴紐掛け具の前記滑車の一側面には、前記靴紐が必要な分だけ引っ張られて締まると、前記靴紐の締まりが緩まず、且つレバーを操作すると前記靴紐の締まりが緩むようにするラチェットが取り付けられていることを特徴とする。
【０００８】
また、本発明に係る靴紐掛け装置は、靴紐を締める際に靴紐が掛けられる靴紐掛け装置であって、靴紐を案内し且つ離脱させない滑車の溝の円板状両側面部のうち一側面部の直径が他側面部の直径より大きい非対称構造の滑車を挿入可能な形状の掛け支持部に前記滑車を装着した後、前記滑車の軸穴に回転ピンを挿入して、前記滑車が前記掛け支持部に回転可能に取り付けられて構成され、リベットで靴の甲被開口部の縁に沿って取り付けられる複数の第１の靴紐掛け具と、靴紐を案内し且つ離脱させない滑車の溝の円板状両側面部のうち一側面部の直径が他側面部の直径より大きい非対称構造の二つの滑車を対称に配設し、前記二つの滑車に靴紐を掛ける第２の靴紐掛け具と、を有することを特徴とする。
【０００９】
また、本発明に係る靴紐掛け装置では、第２の靴紐掛け具は、前記二つの滑車を挿入可能な形状の掛け支持部に前記二つの滑車を装着した後、前記各滑車の軸穴に回転ピンを挿入して、前記二つの滑車が前記掛け支持部に回転可能に取り付けられて構成されることを特徴とする。
【００１０】
また、本発明に係る靴紐掛け装置では、前記第２の靴紐掛け具を一つのみ有する場合には、最上側から２番目の靴紐掛け具の位置に設置され、前記第２の靴紐掛け具を二つ以上有する場合には、最上側から２番目の靴紐掛け具と、最上側から４番目又はその下の靴紐掛け具の位置に設置され、前記二つの第２の靴紐掛け具が互いに連続しないように設置されることを特徴とする。
【００１１】
また、本発明に係る靴紐掛け装置では、第２の靴紐掛け具は、前記最上側から２番目の靴紐掛け具の位置に設置される前記第２の靴紐掛け具の前記二つの滑車の各々の一側面には、前記靴紐が必要な分だけ引っ張られて締まると、前記靴紐の締まり具合が緩まず、且つレバーを操作すると前記靴紐の締まりが緩むようにするラチェットが取り付けられていることを特徴とする。
【発明の効果】
【００１２】
本発明によれば、靴紐掛け具に非対称構造の滑車を用いて靴紐を通すことなく靴紐を掛けるだけでよく、続いて靴紐を締めるには靴紐を上方に引っ張るだけでよく、靴紐を締めた後には靴紐の締まり具合が緩まないため靴紐を結ぶことが容易であるうえ、靴紐を靴紐掛け具から取り外すことも容易であるという効果がある。
【００１３】
したがって、本発明は、靴紐の挿通、締め又は締めの解除だけでなく、靴紐の取り外しにかかる時間が節約でき、特に登山靴、作業靴などの長い靴を履用する場合に効果的に使用できる。
【００１４】
また、本発明は、靴紐を締めた後には靴紐が緩まないため、靴紐の結びを容易にする効果があり、靴紐の磨耗を防止するように構造されており、靴紐の耐久性を向上させる効果がある。
【図面の簡単な説明】
【００１５】
【図１】本発明の第１実施例に係る靴紐掛け具の使用状態を示す図である。
【図２】本発明の第１実施例に係る靴紐掛け具を示す斜視図である。
【図３】本発明の第１実施例に係る靴紐掛け具を示す分解斜視図である。
【図４】本発明の第１実施例に係る靴紐掛け具を示す断面図である。
【図５】本発明の第１実施例に係る最上側の靴紐掛け具を示す斜視図である。
【図６】本発明の第１実施例に係る最上側の靴紐掛け具を示す分解斜視図である。
【図７】本発明の第１実施例に係る最上側の靴紐掛け具のラチェットの作動図である。
【図８】本発明の第２実施例に係る靴紐掛け具の使用状態図及び部分斜視図である。
【図９】本発明の第２実施例に係る最上側から２番目の靴紐掛け具のラチェットの作動図である。
【発明を実施するための形態】
【００１６】
以下に添付図面を参照しながら、本発明の実施例について詳細に説明する。
【００１７】
図１は本発明の第１実施例に係る靴紐掛け具の使用状態を示す図、図２は本発明の第１実施例に係る靴紐掛け具を示す斜視図、図３は本発明の第１実施例に係る靴紐掛け具を示す分解斜視図、図４は本発明の第１実施例に係る靴紐掛け具を示す断面図である。
【００１８】
図１〜図４を参照すると、本発明の第１実施例は、靴１の皮革開口部２の縁に沿って多数の靴紐掛け具１００をリベット４０で取り付けることにより、靴紐４を前記靴紐掛け具１００に掛けて靴１を履くことができるように構成される。
【００１９】
前記靴紐掛け具１００は、靴紐４を案内する非対称構造の滑車２０を装着することが可能な形状の掛け支持部１０に前記滑車２０を装着した後、前記滑車２０が前記掛け支持部１０に回転可能に取り付けられるように、回転ピン３０を滑車２０に挿入して構成される。
【００２０】
滑車２０は、溝が付いた輪状の部材であって、滑車の溝と溝を挟む円板状の二つの側面部から構成される。一般な滑車は二つの側面部の直径が同じ対称構造で構成されているが、本実施例の滑車２０は一方の側面部の直径が他方の側面部の直径より大きい非対称構造の滑車である。
【００２１】
前記滑車２０は、皮革に近い側には円板の直径が小さい側面部（以下、「下側面部」という）が位置し、皮革から遠い側には円板の直径が大きい側面部（以下、「上側面部」という）が位置し、前記掛け支持部１０に前記滑車２０が装着された状態で、前記掛け支持部１０の締結孔１２から前記滑車２０の回転ピン挿入孔２１を通過して前記回転ピン３０が挿入され、前記掛け支持部１０の靴紐案内溝１１を介して靴紐４が案内されるように構成される。上側面部の外周側には、滑車２０の溝方向に突出する突起が全周に渡って設けられ、掛け支持部１０との間で靴紐を離脱しにくく保持する空間を形成している。上側面部の外周側の突起は、上側面部の外周側の一部に設けてもよい。
【００２２】
前記靴紐４を、靴紐掛け具１００に通すことなく、前記滑車２０の上側面部に靴紐４を当てて軽く下方に引っ張ると、靴紐４が靴紐案内溝１１に入り込み、一旦靴紐４が靴紐案内溝１１に入ると、円板状の直径が大きい上側面部によって、靴紐４が靴紐案内溝１１から抜け出なくなる。
【００２３】
前記掛け支持部１０は、皮革に近い側は締結孔１２も設けられているが、皮革から遠い側はその上面が、前記滑車２０の上側面部と掛け支持部１０との間に靴紐４をきつく掛けられる空間を確保することが可能なところまで形成されている。
【００２４】
前記掛け支持部１０は、靴１の皮革開口部２の孔３と前記掛け支持部１０のリベット挿入孔１３を介してリベット４０で皮革開口部２に取り付けられ、滑車２０が円滑に回転する状態で、その取付箇所に取り付けられる。
【００２５】
従って、従来の靴とは異なり、靴紐を靴紐掛け具に掛けるとき、皮革に装着されている最下側の掛け支持部から順番に靴紐を通していくことなく、前記靴紐４を前記滑車２０の上端側面部と前記掛け支持部１０との間の空間に掛けるだけでよく、靴紐４を締めるときにも多数の靴紐掛け具１００に通された靴紐４を最下側の掛け支持部から手の指で順次引っ張って靴紐４を締める不便がなくなり、前記滑車２０を用いて靴紐４の締める時に発生する靴紐掛け具１００と靴紐４との間の摩擦を小さくし、靴紐４の方向がずれたとしても、靴紐４を引っ張る力の方向を、靴の上部側に向かう方向に変えることにより、靴紐４を一回引っ張るだけで容易に靴紐４を締めることができる。
【００２６】
前記靴紐４を前記靴紐掛け具１００から取り外すときにも、最上側の掛け支持部から順番に靴紐４を一々取り外すことなく、靴紐４を前記滑車２０の上側面部と掛け支持部１０との間の空間を介して上方に引っ張るだけでよく、靴紐４を解くときにも、多数の靴紐掛け具に止められた前記靴紐４を最上側の掛け支持部から手の指で順次引っ張って靴紐４を解く不便さがなくなり、前記滑車２０の作用によって前記靴紐４を容易に解くことができる（靴紐４を解く際の動作については以下に詳細に説明する）。
【００２７】
図５は本発明の第１実施例に係る最上側の靴紐掛け具の斜視図、図６は本発明の第１実施例に係る最上側の靴紐掛け具を示す分解斜視図、図７は本発明の第１実施例に係る最上側の靴紐掛け具のラチェットの作動図である。
【００２８】
最上側の靴紐掛け具１００の前記滑車２０の下面には、靴紐４が必要な分だけ引っ張られて締まると靴紐４の締まりが緩まないようにするラチェット６０が取り付けられている。靴紐４が上方に引っ張られるときには、ラチェット６０の回転によって止め具６２が横に押し除けられるが、靴紐４が下方に引っ張られるときには前記止め具６２がラチェット６０の歯車に係止し、ラチェット６０の回転が停止して、それ以上靴紐４が下方に引っ張られないようにする。したがって、靴紐４を引っ張って締めた後、靴紐４を結ぶとき、靴紐４の締まりが緩むことなく、靴紐４を楽に結ぶことができる。そして、ラチェット６０が前記滑車２０の下面に取り付けられ、靴紐４とは全く接触しないので、靴紐４の締まりが緩まないように靴紐４を保持しても靴紐４が磨耗しない。
【００２９】
また、履いている靴１を脱ぐときは、靴の上部側の靴紐４の結びを解いた後、図７に示すように、最上側の靴紐掛け具１００のラチェット６０のレバー６１を押す操作をすると、前記滑車２０が回転可能となり、靴紐４を締めるときと同様に、靴紐４全体に締め解除テンションがかけられて靴１の入り口が拡開するので、靴１を容易に脱ぐことができる。
【００３０】
図８は本発明の第２実施例に係る靴紐掛け具の使用状態図及び部分斜視図、図９は本発明の第２実施例に係る最上側から２番目の靴紐掛け具のラチェットの作動図である。
【００３１】
図８及び図９を参照すると、本発明の第２実施例は、靴紐４を案内する前記滑車２０を挿入することが可能な形状の掛け支持部１０に前記滑車２０を装着した後、前記滑車２０が前記掛け支持部１０に固定されて回転するように回転ピン３０を挿入して構成した多数の靴紐掛け具１００を靴紐の皮革開口部２にリベット４０で取り付け、前記二つの滑車２０を対称に配設してなる少なくとも１組の二重滑車２００を備え、前記二重滑車２００に２本の靴紐を掛回すように構成される。
【００３２】
前記二つの滑車２０を装着することが可能な形状の掛け支持部５０に前記二つの滑車２０を装着した後、前記二つの滑車２０が前記掛け支持部５０に回転可能に取り付けられるように、回転ピン３０を挿入して構成される。
【００３３】
前記二重滑車２００を１組のみ備える場合には最上側から２番目の靴紐掛け具として設置され、前記二重滑車２００を２組以上備える場合には最上側から２番目の靴紐掛け具と最上側から４番目又はそれ以下の靴紐掛け具として設置されるが、前記二重滑車２００が連続して設置されると、靴紐４と皮革との間の離脱現象が発生しうるので、前記二重滑車２００は２組が互いに連続して設置されないようにする必要がある。
【００３４】
前記最上側から２番目の靴紐掛け具の位置に設置される前記二重滑車２００の下面には、靴紐４が必要な分だけ引っ張られて締まると靴紐４の締まり具合が緩まないようにする２つのラチェット６０が取り付けられている。靴紐４が上方に引っ張られるときには、ラチェット６０の回転によって止め具６２が横に押し除けられるが、靴紐４が下方に引っ張られると、止め具６２がラチェット６０の歯車に係止し、ラチェット６０の回転が停止して、それ以上靴紐４が下方に引っ張られないようにする。したがって、靴紐４を引っ張って締めた後、靴紐４を結ぶとき、靴紐４の締まりが緩むことなく、靴紐４を楽に結ぶことができる。
【００３５】
また、履いている靴１を脱ぐときは、靴の上部側の靴紐４の結びを解いた後、図９に示すように、最上側の靴紐掛け具１００のラチェット６０のレバー６１を押す操作をすると、前記滑車２０が回転可能となり、靴紐４を締めるときと同様に、靴紐４全体に締め解除テンションがかけられて靴１の入り口が拡開するので、靴１を容易に脱ぐことができる。
【００３６】
１組の二重滑車２００は二つの滑車２０を有するが、前記二重滑車２００は、前記二つの滑車２０をリベットで靴１の皮革開口部２に取り付ける場合と同様の効果を有し、靴紐４を引っ張ることにより、靴の皮革表面の中央部分に位置する前記二重滑車２００に靴紐を掛けることにより、靴紐を締めるときに靴紐を引っ張らなければならない長さが減少する効果がある。
【符号の説明】
【００３７】
１００    本発明に係る靴紐掛け具
１    靴
２    甲被開口部
３    孔
４    靴紐
１０    掛け支持部
１１    靴紐案内溝
１２    締結孔
１３    リベット挿入孔
２０    非対称構造の滑車
２１    回転ピン挿入孔
３０    回転ピン
４０    リベット
５０    掛け支持部
６０    ラチェット(ratchet)
６１    レバー
６２    止め具
２００    二重滑車
【図１】
0005388383.tif 000002
【図２】
0005388383.tif 000003
【図３】
0005388383.tif 000004
【図４】
0005388383.tif 000005
【図５】
0005388383.tif 000006
【図６】
0005388383.tif 000007
【図７】
0005388383.tif 000008
【図８】
0005388383.tif 000009
【図９】
0005388383.tif 000010